(57)【要約】      （修正有）【課題】手術後に患者から円滑に取り外すことができるとともに繰り返しの使用が可能であり、なおかつ手術時の清潔状態を良好に保つことができるサージカルドレープを提供する。【解決手段】ドレープ本体１に患部を露出可能とする開口部２を配置したものにおいて、開口部からドレープ本体の一辺にかけて設けた切断部５と、切断部の両側に形成された一対の対向片７とを備え、一対の対向片のうち、一方対向片７には、他方対向片８に対向する縁部を表面側に折り返して成る折り返し部１２を設けるとともに、他方対向片には、折り返し部を被覆可能とするフラップ１４を設ける。【選択図】図１
2017170138.tif 000002
【特許請求の範囲】
【請求項１】
ドレープ本体に患部を露出可能とする開口部を配置したものにおいて、この開口部からドレープ本体の一辺方向に設けた切断部と、この切断部の両側に形成された一対の対向片とを備え、この一対の対向片のうち、一方対向片には、他方対向片に対向する縁部を表面側に折り返して成る折り返し部を設けるとともに、他方対向片には、上記折り返し部を被覆可能とするフラップを設けたことを特徴とするサージカルドレープ。
【請求項２】
ドレープ本体に患部を露出可能とする開口部を配置したものにおいて、この開口部からドレープ本体の一辺方向に設けた切断部と、この切断部の両側に形成された一方対向片と他方対向片とから成る一対の対向片とを備え、他方対向片には、この他方対向片に対向した一方対向片側に突出するとともに表面に吸水素材を備えたフラップを設け、このフラップを、一方対向片の裏面側に重ねて配置したことを特徴とするサージカルドレープ。
【請求項３】
一方対向片には、この一方対向片の縁部を表面側に折り返して成る折り返し部を設けたことを特徴とする請求項２のサージカルドレープ。
【請求項４】
一方対向片に一方係合部材を設けるとともに、フラップの上記一方係合部材の対向位置に、上記一方係合部材に係合可能な他方係合部材を備え、一方係合部材と他方係合部材とを係合することにより、一方対向片とフラップとを着脱自在に接続可能としたことを特徴とする請求項１、２、または３のサージカルドレープ。
【請求項５】
一方係合部材は、一方対向片の折り返し部に設けたことを特徴とする請求項４のサージカルドレープ。
【請求項６】
一方係合部材は、一方対向片の折り返し部を越えた位置に設けたことを特徴とする請求項４のサージカルドレープ。
【請求項７】
ドレープ本体は、基布の開口部外周の表面に、防水性及びバクテリアバリア性を備えたシートを設けたことを特徴とする請求項１、２、または３のサージカルドレープ。
【請求項８】
折り返し部は、少なくともシートの配置箇所に設けたことを特徴とする請求項７のサージカルドレープ。
【請求項９】
他方対向片とフラップとの間には、一方対向片の折り返し部側に突出した突出片を設けるとともに、この突出片に吸水部を設け、この吸水部を折り返し部に対向させて配置したことを特徴とする請求項１のサージカルドレープ。
【請求項１０】
突出片は、一対の小片から成り、この一対の小片の間隔に折り返し部を挿入配置したことを特徴とする請求項９のサージカルドレープ。
【請求項１１】
フラップは、ドレープ本体のシート及び基布に縫着するとともに、この縫着にて形成された針穴にテープを被覆配置することにより、この針穴を閉塞したことを特徴とする請求項７のサージカルドレープ。
【請求項１２】
フラップは、ドレープ本体のシートに縫着するとともに、この縫着にて形成された針穴に、ドレープ本体の基布を被覆配置したことを特徴とする請求項７のサージカルドレープ。
【発明の詳細な説明】
【技術分野】
【０００１】
本発明は、手術の際に患者に被覆する再利用可能なサージカルドレープに関するものである。
【背景技術】
【０００２】
手術の際に術野の清潔の保持、患者の血液や体液等の飛散による感染防止等のために、従来より患者の患部外周を被覆するサージカルドレープが使用されている。そして従来のサージカルドレープは、ドレープ本体に患部を露出可能とする開口部を配置したものであって、術野の清潔を保ちながら開口部を介して施術を行うものであり、場合によっては開口部から患部にカテーテル等を挿入する処置がとられることもある。
【先行技術文献】
【特許文献】
【０００３】
【特許文献１】実開平６−５２８０８号公報
【発明の開示】
【発明が解決しようとする課題】
【０００４】
しかしながら、上記の如くサージカルドレープの開口部からカテーテルやドレインバッグのチューブ等を患部に挿入した場合には、このカテーテル等の存在によって患者からサージカルドレープを取り外すことが困難となる。また、サージカルドレープを患者から取り外す際には、手術中に付着したサージカルドレープの不潔部分や血液や組織等が術野を通過又は接触しないよう、術野の清潔を保つために細心の注意を払う必要がある。
【０００５】
また、手術中の術式変更で止むを得ず拡大手術となり開口部を広げる必要が生じた場合には、従来はサージカルドレープを切断して開口部を広げるか、あるいはより広い開口部を設けたサージカルドレープと交換する必要があった。しかし、開口部を広げるためにサージカルドレープを切断してしまうと繰り返しの使用が困難となり、また、より広い開口部のサージカルドレープと交換する場合には、それまで使用していたサージカルドレープを患者から取り外す際に上述の如く手術中に付着したサージカルドレープの不潔部分や血液や組織等が術野を通過又は接触して不潔となるおそれがあった。
【０００６】
そこで、上述の如く手術中に付着したサージカルドレープの不潔部分や血液や組織等が術野を通過又は接触する事態を回避するために、特許文献１に示す如く予めサージカルドレープに形成したミシン目を手術後に切断したりサージカルドレープを直接はさみで切断したりする等して、患者からサージカルドレープを取り外す場合があった。
【０００７】
しかしながら、上記の如くサージカルドレープを切断してしまうと、繰り返しの使用することができなくなるため新たなサージカルドレープが必要となり、コストが高くつくものとなっていた。また、特許文献１に示す如くサージカルドレープにミシン目を入れた場合には、患部からサージカルドレープの表面に流出した患者の体液や血液がミシン目から再び患者側に流入する可能性があり衛生面での問題が生じるおそれがあった。
【０００８】
そこで、本発明は上述の如き課題を解決しようとするものであって、手術後に患者から円滑に取り外すことができるとともに繰り返しの使用が可能であり、なおかつ手術時の清潔状態を良好に保つことができるサージカルドレープを得ようとするものである。
【課題を解決するための手段】
【０００９】
本発明は上述の如き課題を解決するため、本願の第１、第２発明は、ドレープ本体に患部を露出可能とする開口部を配置したものである。そして、この開口部からドレープ本体の一辺方向に設けた切断部と、この切断部の両側に形成された一方対向片と他方対向片とから成る一対の対向片とを備えている。
【００１０】
このように切断部を備えることにより、ドレープ本体をはさみ等で切断する必要がなく、切断部の両側の一対の対向片を開くことによって開口部の開口領域を広げることができるとともに、ドレープ本体を患者から円滑に取り外すことができる。そのため、患部にカテーテルやドレインバッグのチューブを挿入している場合でも、ドレープ本体の着脱作業を迅速且つ効率良く行うことができる。
【００１１】
そして本願の第1発明は、切断部の両側に形成された一対の対向片のうち、一方対向片に、他方対向片に対向する縁部を表面側に折り返して成る折り返し部を設けるとともに、他方対向片には、上記折り返し部を被覆可能とするフラップを設けている。このように一方対向片に折り返し部を設けるとともに他方対向片にフラップを設けることにより、開口部からドレープ本体の表面に流出した体液等が折り返し部やフラップの存在によって、再び切断部から患者側に流入するのを防ぐことができ、患部の清潔を良好に保つことができる。
【００１２】
また本願の第２発明は、他方対向片には、この他方対向片に対向した一方対向片側に突出するとともに表面に吸水素材を備えたフラップを設け、このフラップを、一方対向片の裏面側に重ねて配置したものである。このように吸水素材を備えたフラップを一方対向片の裏面側に重ねて配置することにより、一方対向片と他方対向片との間の切断部がフラップによって被覆されるものとなる。そのため、開口部からドレープ本体の一方対向片や他方対向片の表面に流出した体液等が切断部に流入する前にフラップを通過し、このフラップの吸水素材にて吸収されるものとなる。従って、開口部から流出した体液等が再び切断部から患者側に流入するのを防ぐことが可能となり、患部の清潔を良好に保つことができる。
【００１３】
また本願の第２発明の一方対向片には、この一方対向片の縁部を表面側に折り返して成る折り返し部を設けたものであってもよい。このように一方対向片に折り返し部を設けることによって、開口部から一方対向片に流出した体液等が折り返し部の存在によりせき止められるため、切断部から患者側に流入する事態を防ぐことができる。
【００１４】
また本願の第１、第２発明は、一方対向片に一方係合部材を設けるとともに、フラップの上記一方係合部材の対向位置に、上記一方係合部材に係合可能な他方係合部材を備え、一方係合部材と他方係合部材とを係合することにより、一方対向片とフラップとを着脱自在に接続可能としたものであっても良い。
【００１５】
このように一方対向片とフラップとを係合部材により係合することにより、フラップを一方対向片に固定配置することができるため、手術中にフラップが一方対向片から外れて切断部が開放状態となるという事態を防ぐことができ、手術中における患部の清潔を良好に保持することができる。
【００１６】
また本願の第１、第２発明は、一方係合部材は、一方対向片の折り返し部に設けたものであっても良いし、一方係合部材は、一方対向片の折り返し部を越えた位置に設けたものであっても良い。
【００１７】
またドレープ本体は、基布の開口部外周の表面に、防水性及びバクテリアバリア性を備えたシートを設けたものであっても良く、更にこのシートは、表面に吸水布を設けたものであっても良い。また、少なくともこのシートの配置箇所に折り返し部を設けたものであっても良い。
【００１８】
このように基布の開口部の外周に防水性及びバクテリアバリア性のシートを備えることにより、清潔を保持しなければならないクリティカルゾーンである開口部の外周に体液等が付着した場合であっても、体液やバクテリア等がドレープ本体にしみ込んで再び患部に浸入するという事態を防ぐことができる。
【００１９】
また、このシートの表面に吸水布を設けることにより、シート上に流出した体液などを吸水布により吸水することができるため、開口部や切断部から患部への流入を効果的に防ぐことができる。同様に、少なくともこのシートに折り返し部を設けることにより、折り返し部及びフラップの存在によって、開口部の外周表面に流出した体液等が再び切断部から患部側に流入する事態を防ぐことが可能となる。従って、患部の清潔を良好に保つことができる。
【００２０】
またフラップは、ドレープ本体のシート及び基布に縫着するとともに、この縫着にて形成された針穴にテープを被覆配置することにより、この針穴を閉塞したものであっても良く、ドレープ本体のシートに縫着するとともに、この縫着にて形成された針穴に、ドレープ本体の基布を被覆配置したものであっても良い。このように針穴をテープにて閉塞したり、針穴に基布を被覆配置することにより、ドレープ本体の表面に流出した体液等が針穴を通じて患部側に流入する事態を防ぐことができる。
【００２１】
また本願の第１発明では、他方対向片とフラップとの間に、一方対向片の折り返し部側に突出した突出片を設けるとともに、この突出片に吸水部を設け、この吸水部を折り返し部に対向させて配置したものであっても良く、また突出片は、一対の小片から成り、この一対の小片の間隔に折り返し部を挿入配置したものであっても良い。
【００２２】
このように突出片を他方対向片とフラップとの間に、吸水部を折り返し部に対向させて配置することにより、開口部からシート上の切断部形成方向に体液等が流出した際に、この突出片の吸水部によって体液等を吸収することができるため、開口部から流出した体液等が切断部から患部側に流入する事態を効果的に防ぐことができる。また、この突出片によって折り返し部の折り返し状態をより確実に保持することができるため、折り返し部によって切断部への体液等の流入をより効果的に阻止することができる。
【００２３】
尚、本願の第１、第２発明は、特に外科手術、具体的には一般消化器外科の開腹手術及び腹腔鏡手術や、胆肝膵外科の開腹手術及び腹腔鏡手術、婦人科における開腹手術及び腹腔鏡手術、泌尿器科における開腹手術及び腹腔鏡手術、心臓外科における開心術、胸部外科における開胸及び胸腔鏡手術等に使用することができる。また、整形外科の人工関節置換術、関節鏡手術、下肢靭帯再建術、骨接合術、脊椎全般形成術及び固定術等に使用することができる。
【発明の効果】
【００２４】
本発明は上述の如く構成したものであるから、ドレープ本体の表面に流出した体液等が折り返し部やフラップによって切断部から患者側に流入するのを防ぐことができる。即ち本願の第1発明は、体液等が開口部から一方対向片の表面に流出した場合には、この一方対向片には折り返し部が備えられているため、この折り返し部によって流出した体液がせき止められ、流出した体液が切断部から患部に流入することが困難となる。また、体液等が開口部から他方対向片の表面に流出した場合には、他方対向片にはフラップが設けられていることから、このフラップによって切断部が被覆されているため、体液等が切断部から患部に流入することが困難となる。従って、折り返し部とフラップの存在により、患部の清潔を良好に保つことができる。
【００２５】
また本願の第２発明では、開口部から体液等が一方対向片または他方対向片の表面に流出した場合に、他方対向片には吸水素材を備えたフラップが設けられているため、一方対向片や他方対向片に流出した体液は、切断部に到達する前にフラップ上に流通してこのフラップの吸水素材によって吸収されるものとなる。従って、開口部から流出した体液が切断部から患部に流入することが困難となり、患部の清潔を良好に保つことができる。
【００２６】
また本願の第１、第２発明は、開口部を通じて患部にカテーテルやドレインバッグのチューブ等が挿入されている場合でも、一対の対向片を分離することにより、サージカルドレープを患者からスムーズに取り外すことができ、サージカルドレープの着脱作業を迅速且つ円滑に行うことができる。また、予め切断部が備えられていることからはさみ等で切断する必要がないため、繰り返しの使用が可能となりコストを低く抑えることができるとともに、一対の対向片を部分的に拡開して切断部を広げることにより開口部の開口領域を広げることができるため、より広い開口領域の開口部を備えたサージカルドレープに交換するための手間を必要とすることがない。
【図面の簡単な説明】
【００２７】
【図１】本願の第1発明の実施例１を示すフラップを開いた状態の平面図。
【図２】図１の部分拡大平面図。
【図３】実施例１の開腹手術時の使用図。
【図４】実施例１においてフラップを閉じた状態の部分拡大平面図。
【図５】図４のＡ−Ａ線拡大端面図。
【図６】実施例１の整形外科手術時の使用図。
【図７】第1発明の実施例２においてフラップを閉じた状態の部分拡大平面図。
【図８】実施例２においてフラップを開いた状態の部分拡大平面図。
【図９】図７のＢ−Ｂ線拡大端面図。
【図１０】第1発明の実施例３を示すフラップを閉じた状態の平面図。
【図１１】実施例３を示すフラップを開いた状態の部分拡大平面図。
【図１２】図１０のＣ−Ｃ線拡大端面図。
【図１３】第２発明の実施例４を示すフラップを閉じた状態の平面図。
【図１４】実施例４の一方対向片側と他方対向片側を示す部分平面図。
【図１５】図１３のＤ−Ｄ線拡大端面図。
【図１６】第２発明の実施例５を示すフラップを閉じた状態の平面図。
【実施例１】
【００２８】
本願の第１発明における実施例１について説明すると、図１に示す如く(1)はドレープ本体であって、このドレープ本体を構成する防水性の基布(22)中央部には患部を露出可能とする開口部(2)を配置している。そしてこの開口部(2)の外周には、防水性及びバクテリアバリア性を備えた略正方形のシート(3)を基布(22)の表面(4)に固定配置している。このように開口部(2)の外周に防水性及びバクテリアバリア性のシート(3)を備えることにより、開口部(2)の外周に体液等が付着した場合であっても、体液やバクテリア等が基布(22)にしみ込んで再び患部に浸入するという事態を防いで清潔を保つことができる。
【００２９】
またこのシート(3)の表面には、図５に示す如く吸水布(21)を設けている。このように吸水布(21)を設けることにより、シート(3)上に流出した体液等をこの吸水布(21)によって吸収することができるため、開口部(2)から流出した体液などが再びドレープ本体(1)内の患者側に流入することを効果的に防ぐことができる。
【００３０】
また、図１、２に示す如く、上記開口部(2)からドレープ本体(1)の一辺まで連続した切り込みを入れることにより切断部(5)を形成している。このように切断部(5)を形成することによって、図３に示す如く手術中に開口部(2)を通じて患部にカテーテルやドレインバッグのチューブ(6)等が挿入された場合でも、この切断部(5)を開くことによってサージカルドレープを患者からスムーズに取り外すことができ、サージカルドレープの着脱作業を迅速に行うことができる。また予め切断部(5)が備えられていることから、手術中にドレープ本体(1)をはさみ等で切断する必要がないため、繰り返しの使用が可能となりコストを低く抑えることができる。
【００３１】
また上記切断部(5)を設けることにより、図２に示す如くこの切断部(5)の両側に一対の対向片が形成されるものとなる。そしてこの一対の対向片のうち一方対向片(7)には、図２に示す如く他方対向片(8)に対向する縁部(10)を表面(11)側に折り返すことにより、折り返し部(12)を形成している。この折り返し部(12)はシート(3)配置箇所に形成したものであって、この部分の一方対向片(7)を折り返して折り返し部(12)を形成するとともに、この折り返し部(12)を、閂止め(13)により一方対向片(7)の複数箇所に縫着固定している。尚、本実施例及び下記実施例２では固定手段として閂止め(13)を行っているが、他の異なる実施例ではこれに限らず、ステッチ止め、面ファスナー、ボタン等であっても良い。
【００３２】
また、他方対向片(8)には、図４に示す如く上記折り返し部(12)を被覆可能とするフラップ(14)を接続配置している。このフラップ(14)は、略長方形状に形成したものであって、図１に示す如く他方対向片(8)の縁部(15)の長さに対応させて、この縁部の一端から他端まで連続して縫着により接続配置している。
【００３３】
尚、本実施例では上記の如く、他方対向片(8)にフラップ(14)を縫着にて接続配置していることから、縫着によって針穴(23)が形成されるものとなる。そのため、開口部(2)からドレープ本体(1)に流出したバクテリアや体液等が、この針穴(23)を通り抜けて患者側に流入するおそれがある。そこでこのような事態を防止するために、図５に示す如く、上記縫着部分に防水性及びバクテリアバリア性を備えたテープ(16)を設けることによって接続部分の針穴(23)を閉塞している。またこのフラップ(14)を、上記シート(3)と同様に防水性及びバクテリアバリア性を備えた素材にて形成している。
【００３４】
また図１に示す如く、上記一方対向片(7)には、表面(11)縁部(10)に沿ってスナップである一方係合部材(17)を縁部(10)の一端から他端まで等間隔に複数個固定配置している。そして図５に示す如く、上記フラップ(14)の一方係合部材(17)の対向位置となる内面(18)には、上記一方係合部材(17)に係合可能な他方係合部材(20)を、上記一方係合部材(17)の対応位置にそれぞれ固定配置している。
【００３５】
また図２に示す如く、上記一方係合部材(17)を、折り返し部(12)を越えた位置の一方対向片(7)のシート(3)に固定配置している。尚、本実施例及び以下の実施例では上記の如く、一方係合部材(17)及び他方係合部材(20)としてスナップを用いているが、他の異なる実施例ではこれに限らず、ボタン、面ファスナー等のその他の係合手段を用いることもできる。
【００３６】
上記の如く一方対向片(7)とフラップ(14)とに、それぞれ一方係合部材(17)と他方係合部材(20)とを設けることにより、互いに対向する一方係合部材(17)と他方係合部材(20)とを係合させることによって、一方対向片(7)とフラップ(14)とを着脱自在に接続することが可能となる。そして一方対向片(7)とフラップ(14)とを接続することにより、図４に示す如くフラップ(14)が折り返し部(12)を被覆した状態で固定配置される。
【００３７】
上記の如く、フラップ(14)によって折り返し部(12)を被覆した状態で一方対向片(7)と他方対向片(8)とを接続固定することにより、折り返し部(12)とフラップ(14)とによりドレープ本体(1)の表面(4)に流出した体液等が切断部(5)から患者側に流入するのを防ぐことができる。
【００３８】
即ち、開口部(2)から体液等が一方対向片(7)の表面(11)に流出した場合には、この一方対向片(7)に設けた折り返し部(12)によって流出した体液がせき止められ、流出した体液が切断部(5)から患部に流入する事態を阻止することができる。
【００３９】
また、開口部(2)から体液等が他方対向片(8)の表面に流出した場合には、他方対向片(8)のフラップ(14)によって切断部(5)が被覆されているため、このフラップ(14)の存在によって体液等が切断部(5)から患部に流入することを阻止することができる。従って、折り返し部(12)とフラップ(14)の存在により、切断部(5)からの体液等の流入を阻止することが可能となり、患部の清潔を良好に保つことができる。
【００４０】
また図３に示す如く開口部(2)を介して患部にチューブ(6)等が挿入されている場合でも、手術後に一方係合部材(17)と他方係合部材(20)との係合を解除することにより、サージカルドレープを切断することなくチューブ(6)等を挿入した状態を維持しつつ患者からサージカルドレープを容易に取り外すことができる。また、サージカルドレープに付着した血液や組織等を患部に接触させることなくサージカルドレープを患者から取り外すことができるため、患部の清潔を確実に保持することができる。
【００４１】
また手術中に開口部(2)を広げる必要がある場合でも、開口部(2)側の一方係合部材(17)と他方係合部材(20)との接続を部分的に解除することにより、開口部(2)側の切断部(5)を大きく拡開させて開口部(2)を広げることができる。そのため、改めて別のサージカルドレープに取り換える必要がなく、手術を迅速且つ円滑に進めることができる。
【００４２】
尚、本実施例及び以下の実施例では主に図３に示す如く開腹手術に使用する場合について説明しているが、図６に示す如く外科手術を行う場合等にも同様に使用することができる。
【実施例２】
【００４３】
また、上記実施例１では図２に示す如く、一方係合部材(17)を折り返し部(12)を越えた位置の一方対向片(7)のシート(3)に固定配置しているが、本実施例２では一方係合部材(47)を折り返し部(42)に設けている。本願の第1発明における実施例２について詳細に説明すると、図７に示す如くドレープ本体(31)を構成する防水性の基布(52)の中央部には患部を露出可能とする開口部(32)を配置している。そしてこの開口部(32)の外周には、防水性及びバクテリアバリア性を備えた略正方形のシート(33)を基布(52)の表面(34)に固定配置している。
【００４４】
このように開口部(32)の外周に防水性及びバクテリアバリア性のシート(33)を備えることにより、開口部(32)の外周に体液等が付着した場合であっても、体液やバクテリア等が基布(52)にしみ込んで再び患部に浸入するという事態を防ぐことができる。また図９に示す如く、このシート(33)の表面には上記実施例1と同様に吸水布(51)を設けており、シート(33)上に流出した体液等をこの吸水布(51)によって吸収可能としている。
【００４５】
また、上記開口部(32)からドレープ本体(31)の一辺まで連続した切り込みを入れることにより、切断部(35)を形成している。このように切断部(35)を形成することにより、開口部(32)を通じて患部にカテーテルやドレインバッグのチューブ(36)等が挿入されている場合でも、切断部(35)を開いてサージカルドレープを患者からスムーズに取り外すことができ、サージカルドレープの取り外し作業を迅速に行うことができる。また予め切断部(35)が備えられていることから、手術中にドレープ本体(31)をはさみ等で切断する必要がないため、繰り返しの使用が可能となりコストを低く抑えることができる。
【００４６】
そして上記の如く切断部(35)を設けることにより、この切断部(35)の両側に一対の対向片が形成されるものとなる。この一対の対向片のうち一方対向片(37)には、図８に示す如く他方対向片(38)に対向する縁部(40)を表面(41)側に折り返すことにより、折り返し部(42)を形成している。この折り返し部(42)はシート(33)の配置箇所に形成したものであって、この部分の一対の対向片を折り返すとともに、縁部(40)と平行方向に形成した閂止め(43)によって複数箇所に縫着固定している。
【００４７】
また、他方対向片(38)の表面には、図７に示す如く上記折り返し部(42)を被覆可能とするフラップ(44)を接続配置している。このフラップ(44)は略長方形状に形成したものであって、図７に示す如く、他方対向片(38)の開口部(32)からシート(33)配置箇所を越えた位置まで縫着にて接続配置している。
【００４８】
尚、本実施例では上記の如く、他方対向片(38)にフラップ(44)を縫着にて接続配置していることから縫着箇所に針穴(53)が形成され、開口部(32)からドレープ本体(31)に流出したバクテリアや体液等が、この針穴(53)を通り抜けて患者側に流入するおそれがある。そのため、このような事態を防止する為に図９に示す如く、縫着部分には防水性及びバクテリアバリア性を備えたテープ(46)を設けることによって接続部分の針穴(53)を閉塞している。またこのフラップ(44)を、上記シート(33)と同様に防水性及びバクテリアバリア性を備えた素材にて形成している。
【００４９】
また図８に示す如く、上記一方対向片(37)の表面には、縁部(40)に沿ってスナップである一方係合部材(47)を複数固定配置している。そして図８、９に示す如く、上記フラップ(44)の一方係合部材(47)の対向位置となる内面(48)には、上記一方係合部材(47)に係合可能な他方係合部材(50)を、一方係合部材(47)の対応位置にそれぞれ固定配置している。また上記一方係合部材(47)は、折り返し部(42)に直接固定配置している。
【００５０】
上記の如く一方対向片(37)とフラップ(44)とに、それぞれ一方係合部材(47)と他方係合部材(50)とを設け、互いに対向する一方係合部材(47)と他方係合部材(50)とを係合させることによって、一方対向片(37)とフラップ(44)とを着脱自在に接続することが可能となる。そして一方対向片(37)とフラップ(44)とを接続することにより、図７に示す如くフラップ(44)が折り返し部(42)を被覆した状態で固定配置される。
【００５１】
上記の如く、フラップ(44)によって折り返し部(42)を被覆配置した状態で一方係合部材(47)と他方係合部材(50)とを接続固定することにより、ドレープ本体(31)の表面(34)に流出した体液等が切断部(35)から患者側に流入するのを防ぐことができる。
【００５２】
即ち、体液等が開口部(32)から一方対向片(37)の表面(41)に流出した場合には、この一方対向片(37)に設けた折り返し部(42)によって流出した体液がせき止められ、流出した体液が切断部(35)から患部に流入する事態を阻止することができる。一方、体液等が開口部(32)から他方対向片(38)の表面に流出した場合には、他方対向片(38)に設けたフラップ(44)によって切断部(35)が被覆されているため、体液等が切断部(35)を通じて患部に流入することを阻止することができる。従って、折り返し部(42)とフラップ(44)の存在により、切断部(35)からの体液等の流入を阻止することが可能となり患部の清潔を良好に保つことができる。
【００５３】
また手術後には、一方係合部材(47)と他方係合部材(50)との係合を解除することにより、開口部(32)を介して患部にチューブ(36)等が挿入されている場合でも、サージカルドレープを切断することなくチューブ(36)を挿入した状態を維持しつつ患者からサージカルドレープを容易に取り外すことができるとともに、手術中にサージカルドレープに付着した血液や組織等を患部に接触させることなくサージカルドレープを患者から取り外すことができるため、患部の清潔を確実に保持することが可能となる。
【００５４】
更に手術中に開口部(32)を広げる必要がある場合でも、開口部(32)側の一方係合部材(47)と他方係合部材(50)との接続を部分的に解除することにより、開口部(32)側の切断部(35)を大きく拡開させて開口部(32)を広げることができる。そのため、改めて別のサージカルドレープに取り換える必要がなく手術を迅速且つ円滑に進めることができる。
【実施例３】
【００５５】
本願の第１発明における実施例３について説明すると、上記実施例1と同様に、ドレープ本体(61)を構成する防水性の基布(87)の中央部には患部を露出可能とする開口部(62)を配置している。そしてこの開口部(62)の外周には、防水性及びバクテリアバリア性を備えたシート(63)を基布(87)の表面(64)に固定配置している。このように開口部(62)の外周に防水性及びバクテリアバリア性のシート(63)を備えることにより、開口部(62)の外周に体液等が付着した場合であっても、体液やバクテリア等が基布(87)にしみ込んで再び患部に浸入するという事態を防ぐことができ、清潔を保つことが可能となる。また図１２に示す如く、このシート(63)の表面には上記実施例1と同様に吸水布(85)を設けており、シート(63)上に流出した体液等をこの吸水布(85)によって吸収可能としている。
【００５６】
また、図１０に示す如く、上記開口部(62)からドレープ本体(61)の一辺まで連続した切り込みを入れることにより切断部(65)を形成している。このように切断部(65)を形成することにより、患部にカテーテルやドレインバッグのチューブ等が挿入された場合でも、この切断部(65)を開いてサージカルドレープを患者からスムーズに取り外すことができ、サージカルドレープの着脱作業を迅速且つ円滑に行うことができる。また予め切断部(65)が備えられていることから、手術中にドレープ本体(61)をはさみ等で切断する必要がないため、繰り返しの使用が可能となりコストを低く抑えることができる。
【００５７】
そして上記の如く切断部(65)を設けることにより、図１１に示す如くこの切断部(65)の両側に一対の対向片が形成されるものとなる。そしてこの一対の対向片のうち一方対向片(67)には、他方対向片(68)に対向する縁部(70)を表面(71)側に折り返した折り返し部(72)を形成している。そしてこの折り返し部(72)を、Ｖ字ステッチ(73)により一方対向片(67)の複数箇所に縫着固定している。尚、本実施例及び下記実施例では固定手段としてＶ字ステッチ(73)を行っているが、他の異なる実施例ではこれに限らず、他のステッチ止め、面ファスナー、ボタン等であっても良い。
【００５８】
また、図１１に示す如く他方対向片(68)には、上記折り返し部(72)を被覆可能とするフラップ(74)を接続配置している。このフラップ(74)は略長方形状に形成したものであって、図１０に示す如く他方対向片(68)の縁部(75)の一端側から他端側まで縫着にて連続的に接続配置している。そしてこの縫着によって形成された針穴(88)を、図１２に示す如くテープにて閉塞している。これにより、開口部(62)からドレープ本体(61)の表面に流出した体液等が針穴(88)を通り抜けて患者側に流入する事態を防ぐことができる。
【００５９】
また、上記の如く形成した他方対向片(68)とフラップ(74)との間には、図１１に示す如く一方対向片(67)に設けた折り返し部(72)側に突出した突出片(76)を設けている。この突出片(76)は、一対の長方形状の小片(77)を重ね合わせて成るものであって、他方対向片(68)とフラップ(74)との間に、一方対向片(67)の折り返し部(72)側に突出するよう配置し、この突出片(76)の一側(78)側を他方対向片(68)に縫着固定するとともに、他側(80)側を自由端としている。また、この一対の小片(77)の対向面をそれぞれ吸水部(81)としている。
【００６０】
そして図１１に示す如く、上記の如く形成した一対の小片(77)の間隔に折り返し部(72)を挿入配置した状態で、フラップ(74)を折り返し部(72)に被覆配置することにより、突出片(76)が他方対向片(68)とフラップ(74)との間において位置固定された状態となる。このように突出片(76)を位置固定することにより、図１２に示す如く突出片(76)の吸水部(81)が折り返し部(72)に対向した状態で位置するものとなる。
【００６１】
従って、開口部(62)から切断部(65)の形成方向に体液等が流出した際に、この突出片(76)の吸水部(81)によって体液等を吸収することができるため、開口部(62)から流出した体液等が切断部(65)から患部側に流入する事態を効果的に防ぐことができる。また、この突出片(76)によって折り返し部(72)の折り返し状態をより確実に保持することができるため、折り返し部(72)による切断部(65)への体液等の流入をより効果的に阻止することができる。
【００６２】
また本実施例では上記実施例１、２よりもフラップ(74)の形成幅を幅広なものとしている。このようにフラップ(74)を幅広に形成することにより、幅広なフラップ(74)の存在によって、開口部(62)からシート(63)の表面に流出した体液等の切断部(65)から患者側への流入をより効果的に防止することができ、患部の清潔を良好に保つことができる。
【００６３】
また図１１に示す如く、上記一方対向片(67)の表面(71)には、縁部(70)に沿ってスナップである一方係合部材(82)を２列固定配置している。また上記フラップ(74)内面(83)の一方係合部材(82)の対向位置には、上記一方係合部材(82)に係合可能な他方係合部材(84)をそれぞれ固定配置している。また上記一方係合部材(82)は、一方対向片(67)の折り返し部(72)を越えた位置に固定配置している。
【００６４】
上記の如く一方対向片(67)とフラップ(74)に、それぞれ一方係合部材(82)と他方係合部材(84)とを各々設けることにより、図１２に示す如く互いに対向する一方係合部材(82)と他方係合部材(84)とを係合させることによって、一方対向片(67)とフラップ(74)とを着脱自在に接続することが可能となる。そして一方対向片(67)とフラップ(74)とを接続することにより、図１１に示す如くフラップ(74)が折り返し部(72)及び突出片(76)を被覆した状態で固定配置される。
【００６５】
上記の如く、フラップ(74)によって折り返し部(72)及び突出片(76)を被覆配置した状態で一方対向片(67)と他方対向片(68)とを接続固定することにより、シート(63)の表面に流出した体液等が折り返し部(72)、突出片(76)、吸水布(85)、及び幅広に形成したフラップ(74)によって切断部(65)から患者側に流入するのを防ぐことができる。
【００６６】
即ち、体液等が開口部(62)から一方対向片(67)の表面(71)に流出した場合には、この一方対向片(67)に設けた折り返し部(72)によって流出した体液がせき止められ、流出した体液が切断部(65)から患部に流入することを阻止することができる。また、体液等が開口部(62)から他方対向片(68)の表面に流出した場合には、他方対向片(68)には幅広のフラップ(74)が設けられているため、このフラップ(74)によって切断部(65)が広く被覆され、このフラップ(74)により体液等が切断部(65)から患部に流入することを阻止することができる。
【００６７】
従って、折り返し部(72)と幅広のフラップ(74)の存在とにより切断部(65)からの体液等の流入を阻止することができるため、患部の清潔を良好に保つことができる。更に開口部(62)から流出した体液等が、フラップ(74)の表面を通過せずにフラップ(74)の上端部(86)からフラップ(74)とシート(63)との間を通過した場合には、突出片(76)の吸水部(81)又はシートの吸水布(85)によって体液等を吸収することができるため、切断部(65)から患部側に流入する事態を効果的に防ぐことができる。
【００６８】
また、一方係合部材(82)と他方係合部材(84)との係合を解除することにより、開口部(62)を介して患部にチューブ等が挿入されている場合でも、手術後にサージカルドレープを切断することなくチューブ等を挿入した状態を維持しつつ患者からサージカルドレープを容易に取り外すことができる。更に、手術中にサージカルドレープに付着した血液や組織等を患部に接触させることなくサージカルドレープを患者から取り外すことができるため、患部の清潔を確実に保持することができる。
【００６９】
また手術中に開口部(62)を広げる必要がある場合でも、開口部(62)側の一方係合部材(82)と他方係合部材(84)との接続を部分的に解除することにより、開口部(62)側の切断部(65)を大きく拡開させて開口部(62)を広げることができる。そのため、新たに別のサージカルドレープに取り換える必要がないため手術を迅速且つ円滑に進めることができる。
【実施例４】
【００７０】
本願の第２発明における実施例４について説明すると、図１３に示す如くドレープ本体(91)を構成する防水性の基布(99)の中央部には、患部を露出可能とする開口部(92)を配置している。そしてこの開口部(92)の外周には、防水性及びバクテリアバリア性を備えたシート(93)を基布(99)の表面(94)に固定配置している。
【００７１】
このように開口部(92)の外周に防水性及びバクテリアバリア性のシート(93)を備えることにより、開口部(92)の外周に体液等が付着した場合であっても、体液やバクテリア等が基布(99)にしみ込んで再び患部に浸入するという事態を防ぐことができ、清潔を保つことが可能となる。またこのシート(93)の表面には吸水布(95)を被覆配置していることから、開口部(92)付近に飛散したり流出したりした体液などをシート(93)表面で吸収することができる。
【００７２】
また、図１３に示す如く、上記開口部(92)からドレープ本体(91)の一辺まで連続した切り込みを入れることにより切断部(96)を形成している。このように切断部(96)を形成することにより、手術中に開口部(92)を通じて患部にカテーテルやドレインバッグのチューブ等が挿入された場合でも、切断部(96)を開いてサージカルドレープを患者からスムーズに取り外すことができ、サージカルドレープの着脱作業を迅速に行うことができる。またドレープ本体(91)に予め切断部(96)が備えられていることから、手術中にドレープ本体(91)をはさみ等で切断する必要がなく繰り返しの使用が可能となりコストを低く抑えることができる。
【００７３】
また上記の如く切断部(96)を設けることにより、図１４に示す如くこの切断部(96)の両側に一対の対向片が形成されるものとなる。そしてこの一対の対向片のうち一方対向片(97)には、他方対向片(98)に対向する縁部(100)を表面(101)側に折り返すことにより、折り返し部(102)を形成している。この折り返し部(102)はシート(93)配置箇所に形成したものであって、この折り返し部(102)を、Ｖ字ステッチ(103)にて複数箇所に縫着固定している。
【００７４】
また、他方対向片(98)には、図１４に示す如く上記折り返し部(102)を被覆可能とするフラップ(104)を接続配置している。このフラップ(104)の接続について詳細に説明すると、図１５に示す如く、フラップ(104)を、ドレープ本体(91)の表面側に位置するシート(93)に縫着するとともに、この縫着にて形成された針穴(111)に、シート(93)の裏面側に位置する基布(99)を被覆配置している。これにより、万が一ドレープ本体(91)の表面側に位置するシート(93)に流出した体液等が針穴(111)を通過した場合でも、基布(99)によって体液等の針穴(111)から患者側への流入を阻止することができ、清潔を良好に保つことができる。
【００７５】
尚、本実施例ではフラップ(104)とシートとの接続状態を良好に保持するために、シート(93)と基布(99)との間に補強布(109)を設け、図１５に示す如くこの補強布(109)とシート(93)とを重ね合わせた状態でフラップ(104)を縫着固定している。また上記フラップ(104)は略長方形状に形成したものであって、図１４に示す如く他方対向片(98)の縁部に沿って配置している。またこのフラップ(104)は、上記シート(93)と同様に防水性及びバクテリアバリア性を備えた素材にて形成するとともに、図１５に示す如く表面(108)に吸水素材(105)を被覆配置している。
【００７６】
また上記一方対向片(97)の裏面(106)には、図１４に示す如く一方係合部材(107)であるスナップを縁部(100)に沿って複数固定配置している。そして上記フラップ(104)の表面(108)には、一方係合部材(107)の対向位置に、上記一方係合部材(107)に係合可能な他方係合部材(110)をそれぞれ固定配置している。
【００７７】
このように、一方対向片(97) の裏面(106)とフラップ(104) の表面(108)とにそれぞれ一方係合部材(107)と他方係合部材(110)とを設けるとともに、図１５に示す如く互いに対向する一方係合部材(107)と他方係合部材(110)とを係合させることにより、一方対向片(97)とフラップ(104)とを着脱自在に接続することが可能となる。また図１５に示す如く、フラップ(104)を一方対向片(97)の裏面(106)側に重ねて配置するとともに、一方係合部材(107)と他方係合部材(110)とを係合することにより、一方対向片(97)の折り返し部(102)が表面(101)に露出した状態で固定配置される。
【００７８】
上記の如く、フラップ(104)を一方対向片(97)の裏面(106)側に重ねて配置し、一方対向片(97)の折り返し部(102)を表面(101)に露出させることにより、体液等が開口部(92)から一方対向片(97)または他方対向片(98)の表面に流出した場合に、流出した体液がフラップ(104)の吸水素材(105)によって吸収されるとともに折り返し部(102)によって体液の流れがせき止められるため、流出した体液が切断部(96)から患部に流入する事態を防ぐことができる。従って、フラップ(104)及び折り返し部(102)の存在によって患部の清潔を良好に保つことができる。
【００７９】
また、開口部(92)を介して患部にチューブ等が挿入されている場合でも、手術後に一方係合部材(107)と他方係合部材(110)との係合を解除することにより、サージカルドレープを切断することなくチューブ等の挿入状態を維持しつつ患者からサージカルドレープを容易に取り外すことができる。更に、サージカルドレープに付着した血液や組織等を患部に接触させることなくサージカルドレープを患者から取り外すことができるため、患部の清潔を確実に保持することができる。
【００８０】
また、手術中に開口部(92)を広げる必要がある場合でも、開口部(92)側の一方係合部材(107)と他方係合部材(110)との接続を部分的に解除することにより、開口部(92)側の切断部(96)を大きく拡開させて開口部(92)を広げることができる。そのため、改めて別のサージカルドレープに取り換える必要がないため手術を迅速且つ円滑に進めることができる。
【実施例５】
【００８１】
上記実施例４では、一方対向片(97)に折り返し部(102)を形成しているが、本願の第２発明における実施例５では、図１６に示す如く一方対向片(113)に折り返し部を設けていない。このように一方対向片(113)に折り返し部を設けていない場合であっても、フラップ(114)を一方対向片(113)の裏面(106)側に重ねて配置することにより、切断部(118)がフラップ(114)によって被覆された状態となる。そのため、体液等が開口部(115)から一方対向片(113)又は他方対向片(116)の表面に流出した場合でも、フラップ(114)の表面に配置した吸水素材(117)により流出した体液が吸収されるため、この体液が切断部(118)から患部に流入することを防ぐことが可能となり患部の清潔を良好に保つことができる。
【００８２】
また、上記実施例１〜４では、開口部(115)からドレープ本体(112)の一辺まで途切れることなく切断部(118)を設けているが、本実施例の切断部(118)は図１６に示す如く、開口部(115)からドレープ本体(112)の一辺方向に向かうとともに、その先端がドレープ本体(112)の一辺まで到達することなく部分的に設けられている。このように、本願の第1、第２発明では切断部(118)を部分的に設けることも可能である。尚、本実施例におけるその他の構成については上記実施例４と同一である。
【００８３】
上記の如く切断部(118)を形成することにより、手術中に開口部(115)を広げる必要がある場合でも、開口部(115)側の一方係合部材(120)と他方係合部材(110)(図示せず。)との接続を部分的に解除することにより、開口部(115)側に形成された一方対向片(113)と他方対向片(116)との間の切断部(118)を大きく拡開させて開口部(115)を広げることができる。そのため、新たに別のサージカルドレープに取り換える必要がないため手術を迅速且つ円滑に進めることができる。
【符号の説明】
【００８４】
１、３１、６１、９１、１１２  ドレープ本体
２、３２、６２、９２、１１５  開口部
３、３３、６３、９３  シート
５、３５、６５、９６、１１８  切断部
７、３７、６７、９７、１１３  一方対向片
８、３８、６８、９８、１１６  他方対向片
１０、４０、７０、１００  縁部
１１、４１、７１、１０１  表面
１２、４２、７２、１０２  折り返し部
１４、４４、７４、１０４、１１４  フラップ
１６、４６、６６  テープ
１７、４７、８２、１０７、１２０  一方係合部材
２０、５０、８４、１１０  他方係合部材
２１、５１、８５、９５  吸水布
２２、５２、８７、９９  基布
２３、５３、８８、１１１  針穴
８１  吸水部
１０５、１１７  吸水素材
１０６  裏面
１０８  表面
【図１】
2017170138.tif 000003
【図２】
2017170138.tif 000004
【図３】
2017170138.tif 000005
【図４】
2017170138.tif 000006
【図５】
2017170138.tif 000007
【図６】
2017170138.tif 000008
【図７】
2017170138.tif 000009
【図８】
2017170138.tif 000010
【図９】
2017170138.tif 000011
【図１０】
2017170138.tif 000012
【図１１】
2017170138.tif 000013
【図１２】
2017170138.tif 000014
【図１３】
2017170138.tif 000015
【図１４】
2017170138.tif 000016
【図１５】
2017170138.tif 000017
【図１６】
2017170138.tif 000018